(57)【要約】【課題】  磁気の作用を有効に利用でき、マッサージ効果を十分に得ることができ、使い勝手が良く、汎用性の高い磁気健康器具を提供する。【解決手段】  本発明に係る磁気健康器具１，１１は、弾性材料から成る突起部６の先端に磁石７が設けられた磁気体３を備えており、磁気体３の磁石７を身体部分に押圧可能なように構成されていることを特徴とする。そして、好ましくは、磁気体３は、伸縮自在な帯状のバンド２の内面側に設けられているのがよく、また、基端部を支点として互いに近接離反方向に回動可能に設けられていると共に近接方向に付勢された一対の挟持部１２ａ，１２ｂを備え、各挟持部１２ａ，１２ｂの少なくともいずれか一方の対向面１２ａに磁気体３が設けられていてもよい。【選択図】  図２
2005296426.tif 000002
【特許請求の範囲】
【請求項１】
弾性材料から成る突起部の先端に磁石が設けられた磁気体を備えており、該磁気体の磁石を身体部分に押圧可能なように構成されていることを特徴とする磁気健康器具。
【請求項２】
前記磁気体は、伸縮自在な帯状のバンドの内面側に設けられている請求項１に記載の磁気健康器具。
【請求項３】
基端部を支点として互いに近接離反方向に回動可能に設けられていると共に近接方向に付勢された一対の挟持部を備えており、該各挟持部の少なくともいずれか一方の対向面に前記磁気体が設けられている請求項１に記載の磁気健康器具。
【発明の詳細な説明】
【技術分野】
【０００１】
本発明は、身体の腰、腕、肩、足、手、指等の各部分に巻着し、又はそれらを挟持し、磁気により、身体に刺激を与え、健康を維持するための磁気健康器具に関するものである。
【背景技術】
【０００２】
従来、健康を維持するため、磁気により身体の各部分に刺激を与える磁気健康器具が知られている。
【０００３】
この種の磁気健康器具としては、例えば、伸縮可能なバンドに網状袋体を取り付け、その網状袋体の中に磁石を入れ、腰等にそのバンドを巻き付けるように構成した健康バンド（例えば、特許文献１参照）や、略円弧状の曲面を有する基台に複数の磁石を突設し、この磁石を足裏で踏み付け可能なように構成した磁気足裏健康具（例えば、特許文献２参照）等が提案されている。
【０００４】
【特許文献１】特開２００２−５２０８８号公報
【特許文献２】特開平８−１４１０４４号公報
【発明の開示】
【発明が解決しようとする課題】
【０００５】
しかしながら、上記した従来の健康バンドでは、磁石を網状袋体に入れるようになっているため、身体の所望な部分に磁石をうまく当てるのが難しく、磁気の作用を有効に利用することができないといった問題があった。また、身体へのバンドの巻き付けの程度により、身体に対する磁石の押圧力が決定されるため、その調整が難しく、マッサージ効果を十分に得ることができないといった問題があった。
【０００６】
一方、上記した従来の磁気足裏健康具では、磁石を足裏で踏み付けるようになっているため、起立状態でしか行うことができず、使い勝手が悪いといった問題があった。また、足裏以外の身体部分に対しては使用することができず、利用範囲が狭く、汎用性に乏しいといった問題もあった。
【０００７】
本発明は、上記した課題を解決すべくなされたものであり、磁気の作用を有効に利用でき、マッサージ効果を十分に得ることができ、使い勝手が良く、汎用性の高い磁気健康器具を提供しようとするものである。
【課題を解決するための手段】
【０００８】
本発明に係る磁気健康器具は、弾性材料から成る突起部の先端に磁石が設けられた磁気体を備えており、該磁気体の磁石を身体部分に押圧可能なように構成されていることを特徴とする。
【０００９】
そして、好ましくは、前記磁気体は、伸縮自在な帯状のバンドの内面側に設けられているのがよい。
【００１０】
また、基端部を支点として互いに近接離反方向に回動可能に設けられていると共に近接方向に付勢された一対の挟持部を備えており、該各挟持部の少なくともいずれか一方の対向面に前記磁気体が設けられていてもよい。
【発明の効果】
【００１１】
本発明によれば、弾性材料から成る突起部の先端に磁石が設けられた磁気体を備えているため、磁気の作用を有効に利用でき、マッサージ効果を十分に得ることができ、また、使い勝手が良く、汎用性を高めることができる等、種々の優れた効果を得ることができる。
【発明を実施するための最良の形態】
【００１２】
以下、図面を参照しつつ、本発明の実施の形態について説明する。
【００１３】
先ず、図１〜図３を参照しつつ、本発明の第１の実施の形態に係る磁気健康器具について説明する。ここで、図１は本実施の形態に係る磁気健康器具を示す平面図、図２は磁気健康器具の磁気体を示す側面図、図３はその磁気体の要部を拡大して示す側面図である。
【００１４】
この磁気健康器具１は、伸縮自在の素材製で、帯状のバンド２の内面側に磁気体３が取り付けられたものであり、バンド２の両端部にはマジックテープ等により締結部４ａ，４ｂが形成されている。
【００１５】
磁気体３は、図２及び図３によく示されているように、板状の基部５と、基部５に複数突設された突起部６と、突起部６の先端に着脱自在に取り付けられた磁石７とから構成されており、基部５及び突起部６は合成ゴム等の弾性材料製となっている。そして、突起部６の先端には溝部８が形成されており、溝部８には磁石７の基端側に突設された係合部９が係合可能となっている。また、磁石７の先端は凸曲面状に形成されており、これにより身体に対するマッサージ効果を高めることができるようになっている。
【００１６】
このような構成において、この磁気健康器具１を使用する場合、身体の所望な箇所、例えば、腰に磁気体３が当るように、バンド２を巻き付け、締結部４ａ，４ｂ同士を締結させる。この場合、基部５及び突起部６が弾性材料製となっているため、腰に対する磁石７の押圧力は、バンド２の巻着の程度にあまり左右されることなく、適切な範囲内に保持され、磁気により腰を有効に刺激することが可能となると共にマッサージ効果を向上させることができる。
【００１７】
なお、図１においては、磁気体３がバンド２の中央に１箇所、設けられているが、磁気体３の設置位置及び設置数は各種変更が可能である。
【００１８】
また、磁気体３は突起部６と磁石７のみから構成されていてもよく、その場合には、突起部６がバンド２に直接取り付けられる。
【００１９】
さらに、突起部６と磁石７との着脱構造は上記した構造に限定されるものではなく、例えば、突起部６側に係合部を突設し、磁石７側にその係合部が係合可能な溝部を形成させる等、各種変更が可能である。
【００２０】
さらにまた、上記第１の実施の形態では、磁気健康器具１を腰に巻着させる場合について例示したが、この磁気健康器具１は、その大きさや形状を適度に調整することにより、腕、足、首等他の身体部分にも適用可能である。
【００２１】
次に、図４及び図５を参照しつつ、本発明の第２の実施の形態に係る磁気健康器具１１について説明する。ここで、図４は本実施の形態に係る磁気健康器具を示す斜視図、図５はその側面図である。なお、以下の説明では、説明の簡略化のため、上記した第１の実施の形態と同様の構成については、図４及び図５中、図１〜図３と同一の符号を付し、その構成に関する詳細な説明は省略する。
【００２２】
この磁気健康器具１１は、対向するように設けられた一対の挟持部１２ａ，１２ｂと、挟持部１２ａ，１２ｂの基端部に設けられたバネ部材１３と、バネ部材１３を挟んで挟持部１２ａ，１２ｂと反対側に設けられた摘み部１４とから構成されている。
【００２３】
挟持部１２ａ，１２ｂは、バネ部材１３を支点として互いに近接離反方向に回動可能に設けられており、バネ部材１３により互いに近接方向に付勢されている。そして、一方の挟持部１２ａの対向面１５ａの先端側には磁気体３が固着され、他方の挟持部１２ｂの対向面１５ｂの磁気体３に対向する部分には硬質スポンジ等の弾性材料製の弾性板１６が固着されている。
【００２４】
このように構成において、この磁気健康器具１１を使用する場合、摘み部１４を摘み、挟持部１２ａ，１２ｂをバネ部材１３の付勢力に抗して離反方向に回動させ、身体の所望な箇所、例えば、足の親指の裏側に磁気体３が当るように、挟持部１２ａ，１２ｂの間に足の親指を挿入する。そして、摘み部１４を離すと、足の親指の裏側を磁気体３が所要の押圧力で押圧し、磁石７の磁気作用によりその親指を適度に刺激することができると共にマッサージ効果を向上させることができる。
【００２５】
なお、上記第２の実施の形態では、磁気体３を一方の挟持部１２ａに設置しているが、他方の挟持部１２ｂ、或いは、両方の挟持部１２ａ，１２ｂに設置することもできる。
【００２６】
また、磁気体３は突起部６と磁石７のみから構成されていてもよく、その場合には、突起部６が挟持部１２ａ，１２ｂに直接取り付けられる。
【００２７】
さらに、上記第２の実施の形態では、磁気健康器具１１が足の親指を挟持する場合について例示したが、この磁気健康器具１１は、その大きさや形状を適度に調整することにより、手、腕、脹脛、大腿部、腹等他の身体部分にも適用可能である。
【００２８】
さらにまた、上記第２の実施の形態において、摘み部１４の代わりに、挟持部１２ａ，１２ｂの挟持強度のレベルを調整可能なようにダイヤル式の摘みを設けたり、或いは、その挟持強度のレベルを測定可能なようにゲージを取り付けたりすることもできる。
【図面の簡単な説明】
【００２９】
【図１】本発明の第１の実施の形態に係る磁気健康器具を示す平面図である。
【図２】本発明の第１の実施の形態における磁気体を示す側面図である。
【図３】本発明の第１の実施の形態における磁気体の要部を拡大して示す側面図である。
【図４】本発明の第２の実施の形態に係る磁気健康器具を示す斜視図である。
【図５】本発明の第２の実施の形態に係る磁気健康器具を示す側面図である。
【符号の説明】
【００３０】
１                磁気健康器具
２                バンド
３                磁気体
６                突起部
７                磁石
１１              磁気健康器具
１２ａ，１２ｂ    挟持部
１５ａ，１５ｂ    対向面
【図１】
2005296426.tif 000003
【図２】
2005296426.tif 000004
【図３】
2005296426.tif 000005
【図４】
2005296426.tif 000006
【図５】
2005296426.tif 000007